(57)【特許請求の範囲】
【請求項１】
第１の周波数か第２の周波数かのいずれかの周波数の電力を出力する電源装置であって、
外部のコンバータ装置によって交流電力から変換された直流電力を、二次電池に充電する充電部と、
前記コンバータ装置によって交流電力から変換された直流電力に含まれる交流信号を取得する周波数情報取得部と、
前記第１の周波数の交流信号を再生する再生部と、
前記周波数情報取得部が取得した交流信号と前記再生部が再生した交流信号とを合成する合成部と、
前記合成部が出力する信号のピーク値が一定である場合に、前記二次電池の出力電力を前記第１の周波数の交流電力に変換し、前記合成部が出力する信号のピーク値が一定でない場合に、前記二次電池の出力電力を前記第２の周波数の交流電力に変換するインバータ部と
を備えることを特徴とする電源装置。
【請求項２】
電源装置と、当該電源装置と電力供給対象とを接続するコネクタとを備える電源システムであって、
前記コネクタは、
前記電源装置からの出力を要求する周波数を示す周波数情報を前記電源装置に出力する周波数情報出力部を備え、
前記電源装置は、
外部のコンバータ装置によって交流電力から変換された直流電力を、二次電池に充電する充電部と、
前記コネクタから出力された周波数情報を取得する周波数情報取得部と、
前記二次電池の出力電力を、前記周波数情報が示す周波数の交流電力に変換し、前記コネクタを介して前記電力供給対象へ出力するインバータ部と
を備えることを特徴とする電源システム。
【請求項３】
前記コネクタは、前記電力供給対象と外部電源とを接続したときに、前記外部電源から供給される交流電力の周波数を特定する周波数特定部を備え、
前記コネクタの周波数情報出力部は、前記周波数特定部が特定した周波数を示す周波数情報を前記電源装置に出力する
ことを特徴とする請求項２に記載の電源システム。
【請求項４】
第１の周波数か第２の周波数かのいずれかの周波数の電力を出力する電源装置の充放電方法であって、
前記電源装置の充電部が、外部のコンバータ装置によって交流電力から変換された直流電力を、二次電池に充電するステップと、
前記電源装置の周波数情報取得部が、前記コンバータ装置によって交流電力から変換された直流電力に含まれる交流信号を取得するステップと、
前記電源装置の再生部が、前記第１の周波数の交流信号を再生するステップと、
前記電源装置の合成部が、前記周波数情報取得部が取得した交流信号と前記再生部が再生した交流信号とを合成するステップと、
前記電源装置のインバータ部が、前記合成部が出力する信号のピーク値が一定である場合に、前記二次電池の出力電力を前記第１の周波数の交流電力に変換し、前記合成部が出力する信号のピーク値が一定でない場合に、前記二次電池の出力電力を前記第２の周波数の交流電力に変換するステップと
を備えることを特徴とする充放電方法。
【請求項５】
電源装置の充放電方法であって、
前記電源装置の充電部が、外部のコンバータ装置によって交流電力から変換された直流電力を、二次電池に充電するステップと、
前記電源装置の周波数情報取得部が、前記電源装置と電力供給対象とを接続するコネクタであって、前記電源装置からの出力を要求する周波数を示す周波数情報を前記電源装置に出力する周波数情報出力部を備えるコネクタから出力された前記周波数情報を取得するステップと、
前記電源装置のインバータ部が、前記二次電池の出力電力を、前記周波数情報が示す周波数の交流電力に変換し、前記コネクタを介して前記電力供給対象へ出力するステップと
を備えることを特徴とする充放電方法。
【発明の詳細な説明】
【技術分野】
【０００１】
本発明は、二次電池を備える電源装置並びに当該電源装置を備える電源システム、及び当該電源装置の充放電方法に関する。
【背景技術】
【０００２】
従来、商用電源の停電が発生したときにも、電力供給先の装置に対して電力を供給することができるＵＰＳ（Ｕｎｉｎｔｅｒｒｕｐｔｉｂｌｅ  Ｐｏｗｅｒ  Ｓｕｐｐｌｙ：無停電電源装置）と呼ばれる電源装置が用いられている。このような電源装置は、一般的に内部に二次電池を備え、商用電源の停電時に、二次電池が蓄える電力を交流電力に変換して出力する。
【０００３】
ところで、電力供給先の装置は、装置毎に入力に対応する周波数が決まっている。これらの多くは、当該装置を用いる地域によって決まっている。例えば日本では、設置地域によって５０ヘルツと６０ヘルツの何れの周波数の交流電力に対応するかが決まっている。
そのため、電源装置は、電力を供給する際、出力すべき周波数を特定する必要がある。
【０００４】
特許文献１には、出力すべき周波数を特定する保護継電器の技術が開示されている。具体的には、特許文献１に記載の保護継電器は、交流電源の入力を受け付け、当該交流電源に対してサンプリングを行うことで周波数の判定を行う。電源装置でも同様の方法を用いて周波数の判定を行うことで、周波数を特定し、電力の供給を行うことができる。
【先行技術文献】
【特許文献】
【０００５】
【特許文献１】特願２００６−３３３５３６号公報
【発明の概要】
【発明が解決しようとする課題】
【０００６】
ところで、ＵＰＳのような電源装置は、受電場所と送電場所が同一であることを想定して製造されている。そのため、二次電池、二次電池への充電のために商用電源からの交流電力を直流電力に変換するコンバータ、及び二次電池の出力電力を交流電力に変換して出力するインバータが一体として構成されている。そのため、電源装置は大型化するため、停電が発生している地域へ電源装置を搬送する場合に搬送が困難であるという問題がある。
【０００７】
そこで、送電場所では用いないコンバータと電源装置とを別個の装置とすることで、電源装置を軽量化することが考えられる。しかしながら、この場合、電源装置に入力される電力はコンバータによって変換された直流電力になるため、特許文献１に記載の方法を用いて周波数を特定することができないという問題がある。
【０００８】
また、出力すべき周波数を特定できない場合、電源装置に中庸の周波数（例えば、出力すべき周波数が５０ヘルツと６０ヘルツの何れかである場合は、５５ヘルツ）を出力させることもできるが、その場合、電源の周波数からクロック信号を生成する医療機器のような装置へ電力を供給することができないという問題がある。
【０００９】
本発明の目的は、上述した課題を解決する電源装置並びに電源システム及び充放電方法を提供することにある。
【課題を解決するための手段】
【００１０】
本発明は上記の課題を解決するためになされたものであり、第１の周波数か第２の周波数かのいずれかの周波数の電力を出力する電源装置であって、外部のコンバータ装置によって交流電力から変換された直流電力を、二次電池に充電する充電部と、前記コンバータ装置によって交流電力から変換された直流電力に含まれる交流信号を取得する周波数情報取得部と、前記第１の周波数の交流信号を再生する再生部と、前記周波数情報取得部が取得した交流信号と前記再生部が再生した交流信号とを合成する合成部と、前記合成部が出力する信号のピーク値が一定である場合に、前記二次電池の出力電力を前記第１の周波数の交流電力に変換し、前記合成部が出力する信号のピーク値が一定でない場合に、前記二次電池の出力電力を前記第２の周波数の交流電力に変換するインバータ部とを備えることを特徴とする。
【００１６】
また、本発明は、電源装置と、当該電源装置と電力供給対象とを接続するコネクタとを備える電源システムであって、前記コネクタは、前記電源装置からの出力を要求する周波数を示す周波数情報を前記電源装置に出力する周波数情報出力部を備え、前記電源装置は、外部のコンバータ装置によって交流電力から変換された直流電力を、二次電池に充電する充電部と、前記コネクタから出力された周波数情報を取得する周波数情報取得部と、前記二次電池の出力電力を、前記周波数情報が示す周波数の交流電力に変換し、前記コネクタを介して前記電力供給対象へ出力するインバータ部とを備えることを特徴とする。
【００１７】
また、本発明においては、前記コネクタは、前記電力供給対象と外部電源とを接続したときに、前記外部電源から供給される交流電力の周波数を特定する周波数特定部を備え、前記コネクタの周波数情報出力部は、前記周波数特定部が特定した周波数を示す周波数情報を前記電源装置に出力することが好ましい。
【００１８】
また、本発明は、第１の周波数か第２の周波数かのいずれかの周波数の電力を出力する電源装置の充放電方法であって、前記電源装置の充電部が、外部のコンバータ装置によって交流電力から変換された直流電力を、二次電池に充電するステップと、前記電源装置の周波数情報取得部が、前記コンバータ装置によって交流電力から変換された直流電力に含まれる交流信号を取得するステップと、前記電源装置の再生部が、前記第１の周波数の交流信号を再生するステップと、前記電源装置の合成部が、前記周波数情報取得部が取得した交流信号と前記再生部が再生した交流信号とを合成するステップと、前記電源装置のインバータ部が、前記合成部が出力する信号のピーク値が一定である場合に、前記二次電池の出力電力を前記第１の周波数の交流電力に変換し、前記合成部が出力する信号のピーク値が一定でない場合に、前記二次電池の出力電力を前記第２の周波数の交流電力に変換するステップとを備えることを特徴とする。
また、本発明は、電源装置の充放電方法であって、前記電源装置の充電部が、外部のコンバータ装置によって交流電力から変換された直流電力を、二次電池に充電するステップと、前記電源装置の周波数情報取得部が、前記電源装置と電力供給対象とを接続するコネクタであって、前記電源装置からの出力を要求する周波数を示す周波数情報を前記電源装置に出力する周波数情報出力部を備えるコネクタから出力された前記周波数情報を取得するステップと、前記電源装置のインバータ部が、前記二次電池の出力電力を、前記周波数情報が示す周波数の交流電力に変換し、前記コネクタを介して前記電力供給対象へ出力するステップとを備えることを特徴とする。
【発明の効果】
【００１９】
本発明によれば、周波数情報を外部から取得する周波数情報取得部を備えるため、コンバータ装置によって変換された直流電力を受け付ける電源装置であっても、出力すべき周波数を特定することができる。
【図面の簡単な説明】
【００２０】
【図１】本発明の第１の実施形態による電源システムの構成を示す概略ブロック図である。
【図２】本発明の第１の実施形態による電源装置の充電時及び放電時の動作を示すフローチャートである。
【図３】本発明の第２の実施形態による電源システムの構成を示す概略ブロック図である。
【図４】本発明の第２の実施形態による電源装置の放電時の動作を示すフローチャートである。
【図５】本発明の第３の実施形態による電源システムの構成を示す概略ブロック図である。
【図６】本発明の第３の実施形態による電源システムの充電時の動作を示すシーケンス図である。
【図７】本発明の第４の実施形態による電源システムの構成を示す概略ブロック図である。
【図８】電源装置とコネクタの外観を示す図である。
【図９】本発明の第４の実施形態による電源システムの放電時の動作を示すシーケンス図である。
【図１０】本発明の第５の実施形態による電源システムの構成を示す概略ブロック図である。
【図１１】本発明の第５の実施形態による電源装置の放電時の動作を示すフローチャートである。
【発明を実施するための形態】
【００２１】
《第１の実施形態》
以下、図面を参照しながら本発明の第１の実施形態について詳しく説明する。
図１は、本発明の第１の実施形態による電源システムの構成を示す概略ブロック図である。
第１の実施形態による電源システムは、コンバータ装置１０と電源装置２０とを別個の装置として備える。コンバータ装置１０は、商用電源などの外部電源から供給される交流電力を直流電力に変換する。電源装置２０は、コンバータ装置１０が直流に変換した電力を内部の二次電池２１に充電し、二次電源に蓄積された電力を交流電力に変換して外部に出力する。なお、本実施形態では、外部電源から供給される交流電力及び電力供給先が要求する交流電力の周波数は５０ヘルツ（第１の周波数）か６０ヘルツ（第２の周波数）かの何れかである場合について説明する。
【００２２】
電源装置２０は、二次電池２１、充電部２２、交流信号抽出部２３（周波数情報取得部）、再生部２４、合成部２５、周波数判定部２６、周波数記憶部２７、インバータ部２８、ソケット部２９を備える。
充電部２２は、コンバータ装置１０が変換した直流電力を、二次電池２１に充電する。
交流信号抽出部２３は、コンバータ装置１０が変換した直流電力に含まれる微小な交流信号（リプル）を抽出する。
再生部２４は、５０ヘルツの交流信号を再生する。
合成部２５は、交流信号抽出した交流信号と再生部２４が再生する交流信号とを合成する。
周波数判定部２６は、合成部２５が出力する信号のピークを監視することで、交流信号抽出部２３が抽出した交流信号の周波数を判定する。
周波数記憶部２７は、周波数判定部２６が判定した周波数を記憶する。
インバータ部２８は、二次電池２１の出力電力を、周波数記憶部２７が記憶する周波数の交流電力に変換する。
ソケット部２９は、電力供給対象の負荷から延びるプラグを挿入され、当該プラグを介してインバータ部２８が出力する交流電力を供給する。
【００２３】
次に、本実施形態による電源装置２０の充電時の動作について説明する。
図２は、本発明の第１の実施形態による電源装置の充電時及び放電時の動作を示すフローチャートである。
コンバータ装置１０からの直流電力の供給が開始すると、電源装置２０の充電部２２は、当該直流電力の二次電池２１への充電を開始する（ステップＳ１）。次に、交流信号抽出部２３は、コンバータ装置１０から供給される直流電力に含まれる交流信号を抽出する（ステップＳ２）。次に、再生部２４は、５０ヘルツの交流信号を再生する（ステップＳ３）。なお、当該交流信号は、直流電力に含まれる交流信号の振幅と同程度の振幅を有するものであることが好ましい。次に、合成部２５は、交流信号抽出部２３が抽出した交流信号と再生部２４が再生した交流信号とを合成する（ステップＳ４）。
【００２４】
次に、周波数判定部２６は、合成部２５が出力した信号のピーク値を監視し、各ピーク値が一定であるか否かを判定する（ステップＳ５）。なお、同一の周波数の正弦波の合成信号が同じ周波数の正弦波となり、異なる周波数の正弦波の合成信号は、ビート信号となる。したがって、交流信号抽出部２３が抽出した交流信号と再生部２４が再生した交流信号とが同一の周波数である場合、合成部２５が出力する信号の各ピーク値は一定となる。他方、交流信号抽出部２３が抽出した交流信号と再生部２４が再生した交流信号とが異なる周波数である場合、合成部２５が出力する信号の各ピーク値はそれぞれ異なることとなる。
【００２５】
周波数判定部２６は、合成部２５が出力する信号の各ピーク値が一定であると判定した場合（ステップＳ５：ＹＥＳ）、周波数記憶部２７に周波数が５０ヘルツであることを記録する（ステップＳ６）。他方、周波数判定部２６は、合成部２５が出力する信号の各ピーク値が一定でないと判定した場合（ステップＳ５：ＮＯ）、周波数記憶部２７に周波数が６０ヘルツであることを記録する（ステップＳ７）。
【００２６】
次に、本実施形態による電源装置２０の放電時の動作について説明する。なお、電源装置２０の充電から放電までの間に、電源装置２０はコンバータ装置１０から切断され、放電を行う場所に搬送される。
負荷に接続されたプラグがソケット部２９に挿入されると、インバータ部２８は、周波数記憶部２７から周波数を示す情報を読み出す（ステップＳ８）。次に、二次電池２１から出力される直流電力を、当該読み出した情報が示す周波数の交流電力に変換し、当該交流電力を、ソケット部２９及びプラグを介して負荷に供給する（ステップＳ９）。すなわち、ステップＳ６によって周波数が５０ヘルツであることが周波数記憶部２７に記録されている場合、インバータ部２８は、ステップＳ９で５０ヘルツの交流電力を出力する。他方、ステップＳ７によって周波数が６０ヘルツであることが周波数記憶部２７に記録されている場合、インバータ部２８は、ステップＳ９で６０ヘルツの交流電力を出力する。
【００２７】
このように、本実施形態によれば、電源装置２０は、周波数の情報である交流信号をコンバータ装置１０が出力する直流電力から取得し、出力すべき周波数を特定する。これにより、電源装置２０は、外部のコンバータ装置１０からの直流電力により充電を行いつつ、出力すべき周波数を特定することができる。
【００２８】
また、本実施形態によれば、直流電力に含まれる交流信号の周波数を特定するために、出力すべき２つの周波数のうちの一方の周波数である５０ヘルツの交流信号を生成し、当該交流信号と直流電力に含まれる交流信号とを合成した信号のピーク値を監視する。これにより、簡易な構成で周波数の特定を行うことができ、装置の小型化を図ることができる。
【００２９】
なお、本実施形態では、再生部２４が５０ヘルツの信号を再生し、周波数判定部２６が、合成信号のピーク値が一定である場合に５０ヘルツを、一定で無い場合に６０ヘルツを周波数記憶部２７に記録する場合について説明したが、これに限られない。つまり、再生部２４が６０ヘルツの信号を再生し、周波数判定部２６が、合成信号のピーク値が一定である場合に６０ヘルツを、一定で無い場合に５０ヘルツを周波数記憶部２７に記録する構成であっても良い。
【００３０】
《第２の実施形態》
以下、図面を参照しながら本発明の第２の実施形態について詳しく説明する。
図３は、本発明の第２の実施形態による電源システムの構成を示す概略ブロック図である。
第２の実施形態による電源システムは、第１の実施形態と同様に、コンバータ装置１１０と電源装置１２０とを別個の装置として備える。また、外部電源から供給される交流電力及び電力供給先が要求する交流電力の周波数は５０ヘルツか６０ヘルツかの何れかである。
【００３１】
電源装置１２０は、二次電池１２１、充電部１２２、ソケット部１２３−１、１２３−２（以下、ソケット部１２３−１、１２３−２を総称する場合は、ソケット部１２３と呼ぶ）、ソケット特定部１２４（周波数情報取得部）、対応ソケット記憶部１２５、周波数判定部１２６、インバータ部１２７を備える。
充電部１２２は、コンバータ装置１１０が変換した直流電力を、二次電池１２１に充電する。
ソケット部１２３は、電力供給対象の負荷から延びるプラグを挿入され、当該プラグを介してインバータ部１２７が出力する交流電力を供給する。なお、ソケット部１２３は、出力すべき周波数に対応して設けられ、ソケット部１２３−１は５０ヘルツ用の電力の出力端であり、ソケット部１２３−２は６０ヘルツ用の電力の出力端である。
ソケット特定部１２４は、ソケット部１２３の何れにプラグが挿入されたかを特定する。
対応ソケット記憶部１２５は、ソケット部１２３と当該ソケット部１２３から出力すべき周波数とを関連付けて記憶する。
周波数判定部１２６は、ソケット特定部１２４が特定したソケット部１２３と対応ソケット記憶部１２５が記憶する情報とに基づいて交流信号の周波数を判定する。
インバータ部１２７は、二次電池１２１の出力電力を、周波数判定部１２６が判定した周波数の交流電力に変換する。
【００３２】
本実施形態においてコンバータ装置１１０からの直流電力の供給が開始すると、電源装置１２０の充電部１２２が、当該直流電力の二次電池１２１への充電を開始する。電源装置１２０の充電時の動作は以上である。
【００３３】
次に、本実施形態による電源装置１２０の放電時の動作について説明する。
図４は、本発明の第２の実施形態による電源装置１２０の放電時の動作を示すフローチャートである。なお、電源装置１２０の充電から放電までの間に、電源装置１２０はコンバータ装置１１０から切断され、放電を行う場所に搬送される。
負荷に接続されたプラグがソケット部１２３に挿入されると、ソケット特定部１２４は、プラグが挿入されたソケット部１２３を特定する（ステップＳ１０１）。次に、周波数判定部１２６は、対応ソケット記憶部１２５から、ソケット特定部１２４が特定したソケット部１２３に関連付けられた周波数を読み出す（ステップＳ１０２）。そして、インバータ部１２７は、二次電池１２１から出力される直流電力を、周波数判定部１２６が読み出した周波数の交流電力に変換し、当該交流電力を、ソケット部１２３及びプラグを介して負荷に供給する（ステップＳ１０３）。
【００３４】
このように、本実施形態によれば、電源装置１２０は、周波数に関する情報である、周波数に関連付けられたソケット部１２３を示す情報を、プラグの挿入により取得し、出力すべき周波数を特定する。これにより、電源装置１２０は、外部のコンバータ装置１１０からの直流電力により充電を行いつつ、出力すべき周波数を特定することができる。また、本実施形態によれば、充電を行う地域と放電を行う地域とで要求される電力の周波数が異なる場合にも、放電を行う地域の周波数に対応するソケット部１２３にプラグを挿入することで、適切な周波数の交流電力を出力することができる。
【００３５】
なお、本実施形態では、出力すべき周波数が５０ヘルツか６０ヘルツかの２種類である場合について説明したが、これに限られない。例えば、ソケット部１２３を３つ以上備え、３種類以上の周波数を切り替えて出力するような構成であっても良い。
【００３６】
《第３の実施形態》
以下、図面を参照しながら本発明の第３の実施形態について詳しく説明する。
図５は、本発明の第３の実施形態による電源システムの構成を示す概略ブロック図である。
第３の実施形態による電源システムは、第１の実施形態と同様に、コンバータ装置２１０と電源装置２２０とを別個の装置として備える。
【００３７】
コンバータ装置２１０は、コンバータ部２１１、周波数特定部２１２、周波数情報出力部２１３を備える。
コンバータ部２１１は、外部電源から供給される交流電力を直流電力に変換する。
周波数特定部２１２は、外部電源から供給される交流電力の周波数を特定する。
周波数情報出力部２１３は、周波数特定部２１２が特定した周波数を示す周波数情報を電源装置２２０に出力する。
【００３８】
電源装置２２０は、二次電池２２１、充電部２２２、周波数情報取得部２２３、周波数記憶部２２４、インバータ部２２５、ソケット部２２６を備える。
充電部２２２は、コンバータ装置２１０が変換した直流電力を、二次電池２２１に充電する。
周波数情報取得部２２３は、コンバータ装置２１０から周波数情報を取得し、周波数記憶部２２４に記録する。
周波数記憶部２２４は、周波数情報取得部２２３が取得した周波数を記憶する。
インバータ部２２５は、二次電池２２１の出力電力を、周波数記憶部２２４が記憶する周波数情報が示す周波数の交流電力に変換する。
ソケット部２２６は、電力供給対象の負荷から延びるプラグを挿入され、当該プラグを介してインバータ部２２５が出力する交流電力を供給する。
【００３９】
次に、本実施形態による電源装置２２０の充電時の動作について説明する。
図６は、本発明の第３の実施形態による電源システムの充電時の動作を示すシーケンス図である。
外部電源とコンバータ装置２１０とが接続され、コンバータ装置２１０と電源装置２２０とが接続されると、コンバータ装置２１０のコンバータ部２１１は、外部電源から供給される交流電力を直流電力に変換して電源装置２２０へ出力する（ステップＳ２０１）。そして、電源装置２２０の充電部２２２は、コンバータ装置２１０から出力される直流電力の二次電池２２１への充電を開始する（ステップＳ２０２）。
【００４０】
また、このときコンバータ装置２１０の周波数特定部２１２は、外部電源から供給される交流電力をサンプリングし、当該交流電力の周波数を特定する（ステップＳ２０３）。次に、周波数情報出力部２１３は、周波数特定部２１２が特定した周波数を示す周波数情報を生成し、当該周波数情報を電源装置２２０へ出力する（ステップＳ２０４）。次に、電源装置２２０の周波数情報取得部２２３は、コンバータ装置２１０から出力された周波数情報を取得する（ステップＳ２０５）。そして、周波数情報取得部２２３は、取得した周波数情報を周波数記憶部２２４に記録する（ステップＳ２０６）。
【００４１】
なお、本実施形態による電源装置２２０の放電時の動作は、第１の実施形態による電源装置２２０の放電時の動作と同じである。
【００４２】
このように、本実施形態によれば、コンバータ装置２１０が、交流電力の周波数を特定し、当該周波数を示す周波数情報を出力する。そして、電源装置２２０は、コンバータ装置２１０から周波数情報を取得し、出力すべき周波数を特定する。これにより、電源装置２２０は、外部のコンバータ装置２１０からの直流電力により充電を行いつつ、出力すべき周波数を特定することができる。
【００４３】
《第４の実施形態》
以下、図面を参照しながら本発明の第４の実施形態について詳しく説明する。
図７は、本発明の第４の実施形態による電源システムの構成を示す概略ブロック図である。
第４の実施形態による電源システムは、コンバータ装置３１０、電源装置３２０、コネクタ３３０を備える。コネクタ３３０は、電源装置３２０と電力供給対象の負荷との間に接続される機器であり、電源装置３２０から供給される電力を負荷へ伝送する。
【００４４】
電源装置３２０は、二次電池３２１、充電部３２２、周波数情報取得部３２３、インバータ部３２４、ソケット部３２５を備える。
充電部３２２は、コンバータ装置３１０が変換した直流電力を、二次電池３２１に充電する。
周波数情報取得部３２３は、ソケット部３２５に接続されたコネクタ３３０から、負荷に供給すべき電力の周波数を示す周波数情報を取得する。周波数情報取得部３２３は、例えば内蔵する磁気センサ（図示せず）から得られる、コネクタ３３０に設けられた電磁石（図示せず）の磁性に基づいて周波数情報を特定することができる。
インバータ部３２４は、二次電池３２１の出力電力を、周波数情報取得部３２３が取得した周波数情報が示す周波数の交流電力に変換する。
ソケット部３２５は、コネクタ３３０のプラグを挿入され、当該コネクタ３３０を介してインバータ部３２４が出力する交流電力を負荷へ供給する。
【００４５】
コネクタ３３０は、周波数特定部３３１、周波数記憶部３３２、周波数情報出力部３３３を備える。
周波数特定部３３１は、接続された外部電源から供給される交流電力を監視し、当該交流電力の周波数を特定し、当該周波数を示す周波数情報を、周波数記憶部３３２に記録する。
周波数記憶部３３２は、負荷に供給すべき電力の周波数を示す周波数情報を記憶する。
周波数情報出力部３３３は、周波数記憶部３３２が記憶する周波数情報を電源装置３２０に出力する。周波数情報取得部３２３は、例えば内蔵する電磁石の磁性を変化させることで所望の周波数情報を出力することができる。
【００４６】
図８は、電源装置３２０とコネクタ３３０の外観を示す図である。
図８に示すように、電源装置３２０のソケット部３２５にコネクタ３３０のプラグを挿入したときに、コネクタ３３０に設けられた電磁石が、電源装置３２０の磁気センサに相対するように、電源装置３２０とコネクタ３３０が構成される。
【００４７】
本実施形態においてコンバータ装置３１０からの直流電力の供給が開始すると、電源装置３２０の充電部３２２が、当該直流電力の二次電池３２１への充電を開始する。電源装置３２０の充電時の動作は以上である。
【００４８】
次に、本実施形態による電源システムの放電時の動作について説明する。
図９は、本発明の第４の実施形態による電源システムの放電時の動作を示すシーケンス図である。なお、電源装置３２０の充電から放電までの間に、電源装置３２０はコンバータ装置３１０から切断され、放電を行う場所に搬送される。
【００４９】
放電対象の地域において、当該地域に停電が発生していない場合、コネクタ３３０は外部電源である商用電源と電力供給対象の負荷とを接続するよう設置され、商用電源から供給される交流電力を負荷に伝送する。このとき、コネクタ３３０の周波数特定部３３１は、商用電源から供給される交流電力を監視して当該交流電力の周波数を特定する（ステップＳ４０１）。次に、周波数特定部３３１は特定した周波数を示す周波数情報を、周波数記憶部３３２に記録する（ステップＳ４０２）。以降、周波数情報出力部３３３は、周波数記憶部３３２が記憶する周波数情報を電磁石によって出力する。
【００５０】
放電対象の地域に停電が発生すると、コネクタ３３０は充電地域から搬送された電源装置３２０と負荷とを接続するよう設置される。このとき、コネクタ３３０の周波数情報出力部３３３は、周波数記憶部３３２が記憶する周波数情報を電磁石によって出力している（ステップＳ４０３）。コネクタ３３０のプラグがソケット部３２５に挿入されることにより、電源装置３２０の磁気センサがコネクタ３３０の電磁石に近接すると、電源装置３２０の周波数情報取得部３２３は、磁気センサを介してコネクタ３３０から周波数情報を取得する（ステップＳ４０４）。そして、インバータ部３２４は、二次電池３２１から出力される直流電力を、周波数情報取得部３２３が取得した周波数情報が示す周波数の交流電力に変換し、当該交流電力を、ソケット部３２５及びコネクタ３３０を介して負荷に供給する（ステップＳ４０５）。
【００５１】
このように、本実施形態によれば、電源装置３２０は、周波数情報をコネクタ３３０から取得し、出力すべき周波数を特定する。これにより、電源装置３２０は、外部のコンバータ装置３１０からの直流電力により充電を行いつつ、出力すべき周波数を特定することができる。また、本実施形態によれば、充電を行う地域と放電を行う地域とで要求される電力の周波数が異なる場合にも、放電を行う地域の周波数を記憶したコネクタ３３０をソケット部３２５に挿入することで、適切な周波数の交流電力を出力することができる。
【００５２】
なお、本実施形態では、電磁石と磁気センサとを介して周波数情報の授受を行う場合について説明したが、これに限られない。例えば、ＲＦＩＤ（Ｒａｄｉｏ  Ｆｒｅｑｕｅｎｃｙ  Ｉｄｅｎｔｉｆｉｃａｔｉｏｎ）タグをコネクタ３３０に設け、ＲＦＩＤリーダを電源装置３２０に設けることで、これらを用いて周波数情報の授受を行っても良い。また、周波数情報の授受のための通信線を設け、当該通信線を介して周波数情報の授受を行っても良い。
【００５３】
また、本実施形態では、コネクタ３３０が周波数特定部３３１及び周波数記憶部３３２を備えることで、放電を行う地域の周波数を記憶する場合について説明したが、これに限られない。例えば、周波数情報出力部３３３が、予め当該放電対象の地域において供給される電力の周波数を示す周波数情報を固定的に出力する構成であっても良い。
【００５４】
《第５の実施形態》
以下、図面を参照しながら本発明の第５の実施形態について詳しく説明する。
図１０は、本発明の第５の実施形態による電源システムの構成を示す概略ブロック図である。
第５の実施形態による電源システムは、第１の実施形態と同様に、コンバータ装置４１０と電源装置４２０とを別個の装置として備える。
【００５５】
電源装置４２０は、二次電池４２１、充電部４２２、地域情報記憶部４２３、地域情報取得部４２４（周波数情報取得部）、周波数判定部４２５、インバータ部４２６、ソケット部４２７を備える。
充電部４２２は、コンバータ装置４１０が変換した直流電力を、二次電池４２１に充電する。
地域情報記憶部４２３は、郵便番号や電話番号などの地域情報と当該地域情報が示す地域において供給される電力の周波数とを関連付けて記憶する。
地域情報取得部４２４は、利用者から入力される地域情報を取得する。
周波数判定部４２５は、地域情報取得部４２４が取得した地域情報と地域情報記憶部４２３が記憶する情報とに基づいて出力すべき電力の周波数を判定する。
インバータ部４２６は、二次電池４２１の出力電力を、周波数判定部４２５が判定した周波数の交流電力に変換する。
【００５６】
本実施形態においてコンバータ装置４１０からの直流電力の供給が開始すると、電源装置４２０の充電部４２２が、当該直流電力の二次電池４２１への充電を開始する。電源装置４２０の充電時の動作は以上である。
【００５７】
次に、本実施形態による電源装置４２０の放電時の動作について説明する。
図１１は、本発明の第５の実施形態による電源装置４２０の放電時の動作を示すフローチャートである。なお、電源装置４２０の充電から放電までの間に、電源装置４２０はコンバータ装置４１０から切断され、放電を行う場所に搬送される。
負荷に接続されたプラグがソケット部４２７に挿入されると、地域情報取得部４２４は、利用者から地域情報の入力を受け付ける（ステップＳ５０１）。地域情報取得部４２４が地域情報を取得すると、周波数判定部４２５は、地域情報記憶部４２３から、地域情報取得部４２４が取得した地域情報に関連付けられた周波数を読み出す（ステップＳ５０２）。そして、インバータ部４２６は、二次電池４２１から出力される直流電力を、周波数判定部４２５が読み出した周波数の交流電力に変換し、当該交流電力を、ソケット部４２７及びプラグを介して負荷に供給する（ステップＳ５０３）。
【００５８】
このように、本実施形態によれば、電源装置４２０は、周波数に関する情報である地域情報を、プラグの挿入により取得し、出力すべき周波数を特定する。これにより、電源装置４２０は、外部のコンバータ装置４１０からの直流電力により充電を行いつつ、出力すべき周波数を特定することができる。また、本実施形態によれば、充電を行う地域と放電を行う地域とで要求される電力の周波数が異なる場合にも、放電を行う地域を示す地域情報を入力することで、適切な周波数の交流電力を出力することができる。
【００５９】
なお、本実施形態では、地域情報取得部４２４が地域情報を利用者からの入力により取得する場合について説明したが、これに限られず、例えば地域情報取得部４２４は、ＧＰＳ（Ｇｌｏｂａｌ  Ｐｏｓｉｔｉｏｎｉｎｇ  Ｓｙｓｔｅｍ）から取得した緯度及び経度の情報を地域情報としても良い。
【００６０】
以上、図面を参照してこの発明のいくつかの実施形態について詳しく説明してきたが、具体的な構成は上述のものに限られることはなく、この発明の要旨を逸脱しない範囲内において様々な設計変更等をすることが可能である。
【００６１】
上述の電源装置２０、１２０、２２０、３２０、４２０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６３】
１０…コンバータ装置  ２０…電源装置  ２１…二次電池  ２２…充電部  ２３…交流信号取得部  ２４…再生部  ２５…合成部  ２６…周波数判定部  ２７…周波数記憶部  ２８…インバータ部  ２９…ソケット部  １１０…コンバータ装置  １２０…電源装置  １２１…二次電池  １２２…充電部  １２３…ソケット部  １２４…ソケット特定部  １２５…対応ソケット記憶部  １２６…周波数判定部  １２７…インバータ部  ２１０…コンバータ装置  ２１１…コンバータ部  ２１２…周波数特定部  ２１３…周波数情報出力部  ２２０…電源装置  ２２１…二次電池  ２２２…充電部  ２２３…周波数情報取得部  ２２４…周波数記憶部  ２２５…インバータ部  ２２６…ソケット部  ３１０…コンバータ装置  ３２０…電源装置  ３２１…二次電池  ３２２…充電部  ３２３…周波数情報取得部  ３２４…インバータ部  ３２５…ソケット部  ３３０…コネクタ  ３３１…周波数特定部  ３３２…周波数記憶部  ３３３…周波数情報出力部  ４１０…コンバータ装置  ４２０…電源装置  ４２１…二次電池  ４２２…充電部  ４２３…地域情報記憶部  ４２４…地域情報取得部  ４２５…周波数判定部  ４２６…インバータ部  ４２７…ソケット部
【図１】
0005726054.tif 000002
【図２】
0005726054.tif 000003
【図３】
0005726054.tif 000004
【図４】
0005726054.tif 000005
【図５】
0005726054.tif 000006
【図６】
0005726054.tif 000007
【図７】
0005726054.tif 000008
【図８】
0005726054.tif 000009
【図９】
0005726054.tif 000010
【図１０】
0005726054.tif 000011
【図１１】
0005726054.tif 000012